(57)【要約】【課題】表示の情報量が多く、小型化に対応できる無線通信ユニットの表示方法を提供すること。【解決手段】本発明の無線通信ユニットの表示方法において、カバー４に貼り付けられたラベル８からなる第１の表示手段７と、回路基板１の下面に表示された第２の表示手段１１を備えているため、表示面積を大きく採れて、表示の情報量が多くなっても、小型のユニットに対応できると共に、第２の表示手段１１は、電気回路を避けることなく回路基板１に表示できて、回路基板１の小型化を図ることができる。【選択図】図２
2007242694.tif 000002
【特許請求の範囲】
【請求項１】
配線パターンを有し、電子部品が搭載された回路基板と、前記電子部品を覆った状態で、前記回路基板の上面に取り付けられた箱形のカバーとを備えた無線通信ユニットの表示方法であって、前記無線通信ユニットの外面に表示された表示手段は、２つに分離された第１，第２の表示手段を有し、前記第１の表示手段は、情報を記載したラベルが前記カバーに貼り付けられて表示されると共に、前記第２の表示手段は、情報が前記回路基板の下面に表示されたことを特徴とする無線通信ユニットの表示方法。
【請求項２】
前記第１の表示手段である前記ラベルは、前記カバーの天板に貼り付けられると共に、前記第２の表示手段は、前記情報を記載したラベルが前記回路基板の下面に貼り付けられ、又は前記情報が前記回路基板の下面に記載されて表示するようにしたことを特徴とする請求項１記載の無線通信ユニットの表示方法。
【請求項３】
前記第１の表示手段には、所定国に係る規格の認証マークと認証番号が表示されると共に、前記第２の表示手段には、製造国、製造会社名、及び製品番号が表示されたことを特徴とする請求項１，又は２記載の無線通信ユニットの表示方法。
【請求項４】
前記第１の表示手段に表示される規格の前記認証マークと前記認証番号は、複数国のものが表示されるようにしたことを特徴とする請求項３記載の無線通信ユニットの表示方法。
【請求項５】
前記第１の表示手段である前記ラベルは、前記天板のほぼ全面に貼り付けられたことを特徴とする請求項３又は４記載の無線通信ユニットの表示方法。
【請求項６】
前記第２の表示手段が設けられた前記無線通信ユニットは、前記規格の認定試験が行われ、しかる後、前記第１の表示手段である前記ラベルが前記カバーに貼り付けられることを特徴とする請求項１から５の何れか１項に記載の無線通信ユニットの表示方法。
【発明の詳細な説明】
【技術分野】
【０００１】
本発明は、所定国で使用される近距離用の無線通信ユニットの表示方法に関するものである。
【背景技術】
【０００２】
図４は従来の電子回路ユニットの表示方法を示す平面図であり、次に、従来の電子回路ユニットの表示方法を図４に基づいて説明すると、回路基板５１には、配線パターン５２と、搭載された電子部品５３が設けられて、所望の電気回路が形成されている。
【０００３】
そして、回路基板５１の外周上面の余白部５１ａには、設計レビジョンの情報が記載されたラベルからなる第１の表示手段５４と、これとは異なる位置に、ロット番号の情報が記載された第２の表示手段５５が設けられて、電子回路ユニットの表示方法が形成されている（例えば、特許文献１参照）。
【特許文献１】特開平１１−９７８１１号公報
【発明の開示】
【発明が解決しようとする課題】
【０００４】
しかし、従来の電子回路ユニットの表示方法にあっては、第１，第２の表示手段５４，５５が回路基板５１の余白部５１ａに設けられるため、表示する情報量が多くなると、余白部５１ａを大きくせねばならず、電子回路ユニットが大型になる上に、近年の小型化の要求には対応できないという問題がある。
【０００５】
本発明は、このような従来技術の実情に鑑みてなされたもので、その目的は、表示の情報量が多く、小型化に対応できる無線通信ユニットの表示方法を提供することにある。
【課題を解決するための手段】
【０００６】
上記の目的を達成するために、本発明は、配線パターンを有し、電子部品が搭載された回路基板と、電子部品を覆った状態で、回路基板の上面に取り付けられた箱形のカバーとを備えた無線通信ユニットの表示方法であって、無線通信ユニットの外面に表示された表示手段は、２つに分離された第１，第２の表示手段を有し、第１の表示手段は、情報を記載したラベルがカバーに貼り付けられて表示されると共に、第２の表示手段は、情報が回路基板の下面に表示されたことを特徴としている。
【０００７】
このように構成した本発明は、カバーに貼り付けられたラベルからなる第１の表示手段と、回路基板の下面に表示された第２の表示手段を備えているため、表示面積を大きく採れて、表示の情報量が多くなっても、小型のユニットに対応できると共に、第２の表示手段は、電気回路を避けることなく回路基板に表示できて、回路基板の小型化を図ることができる。
【０００８】
また、本発明は、上記発明において、第１の表示手段である前記ラベルは、カバーの天板に貼り付けられると共に、第２の表示手段は、情報を記載したラベルが回路基板の下面に貼り付けられ、又は情報が回路基板の下面に記載されて表示するようにしたことを特徴としている。
【０００９】
このように構成した本発明は、第１の表示手段であるラベルが面積の大きな天板に貼り付けられるため、表示の情報量を一層多くできる。
【００１０】
また、本発明は、上記発明において、第１の表示手段には、所定国に係る規格の認証マークと認証番号が表示されると共に、第２の表示手段には、製造国、製造会社名、及び製品番号が表示されたことを特徴としている。
【００１１】
このように構成した本発明は、規格に係る情報と製造に係る情報が分離しているため、表示の確認が容易であると共に、第１の表示手段には、情報量の多い規格が表示できて、好適なものが得られる。
【００１２】
また、本発明は、上記発明において、第１の表示手段に表示される規格の認証マークと認証番号は、複数国のものが表示されるようにしたことを特徴としている。
【００１３】
このように構成した本発明は、複数国の認証マークと認証番号が一箇所に表示できて、確認の容易なものが得られる。
【００１４】
また、本発明は、上記発明において、第１の表示手段であるラベルは、天板のほぼ全面に貼り付けられたことを特徴としている。
【００１５】
このように構成した本発明は、ラベルが天板のほぼ全面に貼り付けられたため、表示の情報量を多くできて、小型化に対応した表示手段が得られる。
【００１６】
また、本発明は、上記発明において、第２の表示手段が設けられた無線通信ユニットは、規格の認定試験が行われ、しかる後、第１の表示手段であるラベルがカバーに貼り付けられることを特徴としている。
【００１７】
このように構成した本発明は、所定国の規格に適合するか否かを確認した後に、ラベルの貼り付けが行われるため、適正な表示が可能となる。
【発明の効果】
【００１８】
本発明は、カバーに貼り付けられたラベルからなる第１の表示手段と、回路基板の下面に表示された第２の表示手段を備えているため、表示面積を大きく採れて、表示の情報量が多くなっても、小型のユニットに対応できると共に、第２の表示手段は、電気回路を避けることなく回路基板に表示できて、回路基板の小型化を図ることができる。
【発明を実施するための最良の形態】
【００１９】
発明の実施の形態について図面を参照して説明すると、図１は本発明の無線通信ユニットの表示方法に係る平面図、図２は本発明の無線通信ユニットの表示方法に係り、カバーの一部を切り欠いた状態を示す正面図、図３は本発明の無線通信ユニットの表示方法に係る下面図である。
【００２０】
次に、本発明の無線通信ユニットの表示方法を図１〜図３に基づいて説明すると、回路基板１は、配線パターン２と、搭載された電子部品３が設けられて、送受信回路等を含む所望の電気回路が形成されている。
【００２１】
金属板からなる箱形のカバー４は、天板５と、この天板５の四辺から下方に折り曲げられた４つの側板６を有し、このカバー４は、電子部品３を覆った状態で、回路基板１の上面に取り付けられて、本発明の無線通信ユニットが形成されている。
【００２２】
第１の表示手段７は、情報を記載したラベル８で形成され、このラベル８は、カバー４の天板５のほぼ全面に貼り付けられて表示されると共に、このラベル８に表示される情報は、複数の所定国に係る規格の認証マーク９と認証番号１０が記載されている。
【００２３】
なお、第１の表示手段７であるラベル８は、カバー４の側板６に貼り付けても良い。
【００２４】
第２の表示手段１１は、情報が回路基板１の下面に、印刷等によって直接、表示されて形成され、この第２の表示手段１１には、製造国１２と、製造会社名１３，及び製品番号１４が記載されている。
【００２５】
なお、第２の表示手段１１は、情報を記載したラベルで形成され、このラベルが回路基板１の下面に貼り付けられるようにしても良い。
【００２６】
そして、本発明の無線通信ユニットへの第１，第２の表示手段７，１１の形成方法は、先ず、第２の表示手段１１が回路基板１に設けられた状態で、無線通信ユニットが製造され、この第２の表示手段１１が設けられた無線通信ユニットは、規格の認定試験が行われ、しかる後、規格に適合した国の認証マーク９と認証番号１０が記載されたラベル８（第１の表示手段７）がカバー４に貼り付けられるようになっている。
【図面の簡単な説明】
【００２７】
【図１】本発明の無線通信ユニットの表示方法に係る平面図である。
【図２】本発明の無線通信ユニットの表示方法に係り、カバーの一部を切り欠いた状態を示す正面図である。
【図３】本発明の無線通信ユニットの表示方法に係る下面図である。
【図４】従来の電子回路ユニットの表示方法を示す平面図である。
【符号の説明】
【００２８】
１  回路基板
２  配線パターン
３  電子部品
４  カバー
５  天板
６  側板
７  第１の表示手段
８  ラベル
９  認証マーク
１０  認証番号
１１  第２の表示手段
１２  製造国
１３  製造会社名
１４  製品番号
【図１】
2007242694.tif 000003
【図２】
2007242694.tif 000004
【図３】
2007242694.tif 000005
【図４】
2007242694.tif 000006